(57)【特許請求の範囲】
【請求項１】
昇降路内を昇降するかご室と、
前記かご室と反対の方向に昇降するカウンターウェイトと、
前記かご室の昇降方向のうち少なくとも一方向側に、前記かご室から離隔して取り付けられ、前記カウンターウェイトの昇降空間に対して側方の空間へ向かって延びる溝を表面に有する整風体と、
を備えるエレベーター装置。
【請求項２】
前記溝は、前記かご室からカウンターウェイト昇降空間へ向かう方向に沿って延び前記整風体を二分する境界線を境に、前記カウンターウェイト昇降空間の両側方空間へ向かって延びる、
請求項１に記載のエレベーター装置。
【請求項３】
前記整風体は、前記カウンターウェイト昇降空間側に傾斜して取り付けられる、
請求項１または２に記載のエレベーター装置。
【請求項４】
前記整風体は、前記カウンターウェイト昇降空間に向かって側方に傾斜して取り付けられる、
請求項１から３のいずれか１項に記載のエレベーター装置。
【請求項５】
前記かご室の昇降速度の変化に伴い前記整風体の傾斜角度を調整する角度調整機構を備える、
請求項３または４に記載のエレベーター装置。
【請求項６】
前記整風体における前記カウンターウェイト昇降空間側の角部に、前記かご室側へ向かって傾斜した曲げ部を有する、
請求項１から５のいずれか１項に記載のエレベーター装置。
【請求項７】
前記曲げ部の表面に柔毛を備える、
請求項６に記載のエレベーター装置。
【請求項８】
前記柔毛の長さは、前記柔毛の先端を包絡する面が、前記カウンターウェイト昇降空間の側方空間へ向かって延びる溝の形状をなすように設定される、
請求項７に記載のエレベーター装置。
【請求項９】
前記整風体のドア面側端部、側面側端部およびロープ開口部端部のうち少なくとも一つの端部に、前記かご室から離れる方向に突出する抵抗板を備える、
請求項１から８のいずれか１項に記載のエレベーター装置。
【請求項１０】
前記整風体は、前記溝における前記カウンターウェイト昇降空間側とは反対側の端部に気流発生装置を備える、
請求項１から９のいずれか１項に記載のエレベーター装置。
【請求項１１】
前記整風体は、前記表面が多孔質材で構成される、
請求項１から１０のいずれか１項に記載のエレベーター装置。
【請求項１２】
前記整風体が折りたたみ可能である、
請求項１から１１のいずれか１項に記載のエレベーター装置。
【請求項１３】
前記かご室の側面のうち前記カウンターウェイト昇降空間側の角部に、空気の衝突による圧力変動を吸収する圧力変動吸収体を備えた、
請求項１から１２のいずれか１項に記載のエレベーター装置。
【発明の詳細な説明】
【技術分野】
【０００１】
この発明は、整風体を備えたエレベーター装置に関する。
【背景技術】
【０００２】
エレベーターでは、昇降速度の増加とともに気流の乱れによる騒音（以下、風切り音と呼ぶ。）が増加し、その騒音によりかご室内の快適性が阻害され得る。昇降速度の速いエレベーターはかご室の上下に整風体を取り付け、風切り音発生を抑制している（例えば、特許文献１）。
【先行技術文献】
【特許文献】
【０００３】
【特許文献１】特公昭６０−５５１６号
【発明の概要】
【発明が解決しようとする課題】
【０００４】
特許文献１では、据付時の低コスト化及び保守点検の容易化のため、単純構造の平板形状の整風体をかご室の上下面から隔離して取り付け、かご室昇降時にかご室上下面に気流が衝突することで発生する風切り音抑制を低コストで実現している。
しかしながら、特許文献１では、かご室背面ではカウンターウェイトとのすれ違い時に騒音が発生し、かご室側面では、複数のかご室が連節したエレベーターの場合、かご室同士のすれ違い時に騒音が発生し、かご室内の快適性が阻害され得る。
この発明は、上記のような事情を鑑みてなされたものあり、かご室と、カウンターウェイト、隣接するかご室といった周囲の物体とのすれ違い時の騒音を低減し、かご室内の快適性を向上したエレベーターを提供することを目的とする。
【課題を解決するための手段】
【０００５】
この発明に係るエレベーター装置は、昇降路内を昇降するかご室と、前記かご室と反対の方向に昇降するカウンターウェイトと、前記かご室の昇降方向のうち少なくとも一方向側に、前記かご室から離隔して取り付けられ、前記カウンターウェイトの昇降空間に対して側方の空間へ向かって延びる溝を表面に有する整風体と、を備える。
【発明の効果】
【０００６】
この発明によれば、かご室の昇降時に、整風体表面に衝突した空気をカウンターウェイトの昇降空間に対して側方の空間へ向かって流すことにより、カウンターウェイト、隣接するかご室といったすれ違う周囲の物体とかご室とのすき間の空間に向かって流れる空気を低減することができるため、かご室と周囲の物体とのすれ違いの際に生じる騒音を抑制することができる。
【図面の簡単な説明】
【０００７】
【図１】本発明の実施の形態１に係る整風体を備えたかご室を示す側面図である。
【図２】（ａ）（ｂ）本発明の実施の形態１に係る整風体を備えたかご室を示す上面図である。
【図３】（ａ）（ｂ）カウンターウェイトがかご室側面にある場合の、本発明の実施の形態１に係る整風体を備えたかご室を示す上面図である。
【図４】本発明の実施の形態１に係る整風体を上梁から離隔した場合の取り付け例を示したかご室正面図である。
【図５】本発明の実施の形態１の効果を示した模式図である。
【図６】本発明の実施の形態１に係る溝部による縦渦発生の様子を示した整風体の断面時である。
【図７】本発明の実施の形態１に係る整風カバー折りたたみ時の様子を示したかご室の正面図である。
【図８】本発明の実施の形態２に係る整風体の断面図である。
【図９】本発明の実施の形態３に係る整風体を備えたかご室を示す斜視図（ａ）、および切断線Ａ−Ａにおけるかご室の断面図（ｂ）である。
【図１０】本発明の実施の形態４に係る整風体の側面図である。
【図１１】本発明の実施の形態４に係る整風体を備えたかご室を示す斜視図である。
【図１２】本発明の実施の形態５に係る整風体を備えたかご室を示す斜視図である。
【図１３】本発明の実施の形態６に係る整風体を備えたかご室を示す斜視図である。
【図１４】本発明の実施の形態７に係る整風体を示す斜視図である。
【図１５】本発明の実施の形態８に係る整風体を示す斜視図である。
【図１６】図１５に示すＸ−Ｘ’断面における整風体断面図と整風体近傍の流れ場を示した模式図である。
【図１７】本発明の実施の形態８に係る整風体を示す斜視図である。
【図１８】図１７に示すＹ−Ｙ’断面における整風体断面図と柔毛に近傍の流れ場の模式図である。
【図１９】柔毛がない場合の図１５に示すＸ−Ｘ’断面における整風体断面図と整風体近傍の流れ場を示した模式図である。
【図２０】本発明の実施の形態９に係る整風体を示す斜視図である。
【図２１】本発明の実施の形態１０に係る整風体を示す側面図である。
【図２２】本発明の実施の形態１０に係る整風体を示す正面図である。
【図２３】本発明の実施の形態１１に係る整風体を示す側面図である。
【図２４】本発明の実施の形態１１に係る整風体を示す正面図である。
【発明を実施するための形態】
【０００８】
以下、添付図面を参照して、本願が開示するエレベーター装置の実施の形態を詳細に説明する。なお、以下に示す実施の形態は一例であり、これらの実施の形態によって本発明が限定されるものではない。
【０００９】
実施の形態１．
図１は実施の形態１に係るエレベーターの一部を示す側面図、図２（ａ）（ｂ）はその上面図である。
昇降路内を昇降する直方体形状のかご室１の周りには、かご室１を支持する上梁２、下梁３、横梁４がある。上梁２にはかご室１を吊るすためのロープ５が固定され、ロープ５を巻上機（図示しない）によって巻取ることでかご室１を昇降方向に昇降させる。また、かご室１背面にはロープ５他端に吊るされたカウンターウェイト９が配置され、カウンターウェイト９はかご室１と相反する方向に昇降する。また、かご室１の乗り場側には直方体形状のドア７が取り付けられ、かご室１の乗り場側下端部には落下防止を目的としたエプロン１０が取り付けられている。
【００１０】
実施の形態１のエレベーターでは、かご室内騒音の低減を目的とし、かご室１の上側に整風体６を配置する。整風体６は、かご室１の昇降方向のうち少なくとも一方向側に配置すれば良い。図１に示すように、整風体６は、かご室１の上面から離隔されており、整風体６とかご室１上面との間にはすき間空間が形成されている。また、上記整風体６の中央部分には、かご室１を吊るロープ５が通る開口部８を備える。
図１では、整風体６を上梁２に固定した一例を示しているが、整風体６はかご室１の上面より上方（または整風体６を下面に取り付ける場合は、整風体６をかご室１の下面よりも下方）であれば、上梁２（または下梁３）から隔離して取り付けてもよい。整風体６を上梁２に直接固定する場合はボルト固定、上梁２から離隔して取り付ける場合は図４のように上梁２に支柱２１を介して取り付ければよい。
【００１１】
上記整風体６の気流が衝突する面の一部もしくは全面には、カウンターウェイト９が昇降する空間に対して側方の空間へ向かう方向に沿って形成された溝部を備える。図２（ａ）に溝の一例を示す。この溝は、かご室１からカウンターウェイト９昇降空間へ向かう方向に沿って延び整風体６を二分する境界線を境に、カウンターウェイト９昇降空間の両側方空間に向かって延びている。当該溝部の方向は、整風体６のドア面側端部に対して傾斜角αの方向である。
整風体６に衝突した空気は溝に沿って流れる。整風体６表面の溝は中央線を境にぶつかるため、整風体６に衝突した空気は中央線側に進みにくくなり、溝に沿ってカウンターウェイト９両側面方向に流れるようになる（図２（ａ）矢印の方向）。カウンターウェイト９の幅はかご室１の幅に比べ小さいため、カウンターウェイト９側面方向のすき間空間は、かご室１周囲の他のすき間空間に比べ広い。従って、カウンターウェイト９両側面方向に空気が流れることで、かご室１周囲の他のすき間空間に流れる空気が相対的に減少し、
かご室１とカウンターウェイト９とのすれ違い音、かご室１と隣接するかご室１４（図５）とのすれ違い音が抑制でき、かご室内騒音を低減できる。また、かご室ドア面と昇降路壁面２０とのすき間空間に流れる空気も相対的に減少するため、かご室ドア面側の風切り音についても低減することができる。
【００１２】
さらに、空気が溝に沿って流れると、図６に示すように溝部表面に溝部に沿う方向と同一方向の渦度ベクトルを有する一対の縦渦１１が生成される。この縦渦１１の効果により、整風体６に衝突した空気は整風体６表面から剥離することなく流れることができ、剥離渦による騒音を抑制でき、かご室内騒音を低減できる。なお、このような縦渦１１は音源にならないことが知られている。
【００１３】
本願発明の整風体６はかご室１の上面から離隔して取り付けられているため、メンテナンス作業員が比較的容易に乗場からかご室の上下外部へアクセスでき、整風体６装着による保守性の悪化を抑制できる。公知の、かご室１上面を覆う形状の曲面を有する整風体に比べ保守性が良好である。また、図７に示すように整風体６を３分割し、メンテナンス時には、整風体６をかご室１上側に向かって折りたためる構成にすることで、整風体６による保守性悪化を更に抑制できる。
加えて、かご室１上面を覆う形状の曲面を有する整風体に比べ部品点数が少なく簡単な構成であるため、加工性及び据え付け性に優れ、低コストで騒音対策が実施可能となる。
【００１４】
図１、２に示す整風体６は断面が三角形状の溝部を有しているが、カウンターウェイト９の側面方向に空気が流れる溝形状であれば、台形形状や長方形形状などでもよい。また、空気を効果的に溝部に沿って流すために、溝部の深さは１０ｍｍ以上あることが望ましい。
整風体６のかご室１天井部へ投影した面積は、かご室１の天井部の面積と同程度である。図１、２に示すように、かご室１の天井が矩形である場合、整風体６の外形も矩形である。
整風体６の素材はアルミ板、鋼板などであり、板金部品をプレス加工や押出加工して周期的に折り曲げて溝を形成してもよい。このような構成によれば、単純な板材に比べ曲げ強度を向上できる。
【００１５】
溝のパターンは図２（ａ）に限定されず、カウンターウェイト昇降空間の側方へ向かって延びる溝であれば良く、例えば図２（ｂ）のような溝でも良い。
また、本実施形態ではカウンターウェイトがかご室の背面側に配置された場合を示したが、カウンターウェイトはかご室の側面側に配置されていてもよい。図３（ａ）（ｂ）は、カウンターウェイトがかご室側面側に配置された場合の、本発明の実施の形態１に係る整風体を備えたかご室を示す上面図である。この場合にも、整風体表面にカウンターウェイト昇降空間の側方空間へ向かって延びる溝を設けることにより、かご室内騒音を低減することができる。
【００１６】
実施の形態２．
図８は、実施の形態２のエレベーターにおける整風体の断面図である。
実施の形態２は、実施の形態１において、整風体６を、図８に示すように板金１３のかご室１昇降方向上流側表面に実施の形態１に示す溝部を有する多孔質材１２を取り付けて構成したものである。例えば、多孔質材１２を板金１３表面に両面テープなどによる接着やボルトなどによる締結などで取り付けることができる。上記多孔質材１２は、連続気泡がある素材が適しており、例えば、グラスウールやロックウールなどを用いることが考えられる。
【００１７】
このような構成によれば、実施の形態１に記載の溝部の効果と同様に、整風体６表面に衝突した空気の一部が整風体６の溝部に沿って図２に示す矢印の方向に流れるため、カウンターウェイト９の両側面方向に空気が排出する効果と縦渦１１の生成による効果が得られ、実施の形態１と同様に、かご室内騒音の低減ができる。更に、整風体６表面に衝突する空気の急激な速度変化を多孔質材１２によって抑制でき、整風体６表面における昇降方向の圧力変化を緩やかにでき、空気が整風体６表面を叩くことで生じる騒音を抑制できる。また、多孔質材１２は音のエネルギーの一部を熱エネルギーに変換することができるため、整風体６表面で生じた騒音を低減でき、かご室内騒音をより一層低減できる。
【００１８】
実施の形態３．
図９（ａ）は実施の形態３に係るエレベーターの一部を示す側面図、図９（ｂ）は図９（ａ）の切断線Ａ−Ａにおける断面図である。
実施の形態３は、実施の形態１において、かご室１の側面に圧力変動吸収体２３を取り付けたものである。図９（ａ）（ｂ）に示すように、圧力変動吸収体２３は、かご室１の側面のうちカウンターウェイト昇降空間側の角部に取り付けられる。圧力変動吸収体２３は、空気が衝突する際の急激な圧力変動を吸収して緩やかにするものであり、多孔質材等の素材により形成される。特に、グラスウールやロックウールなどの連続気泡の多孔質素材や柔毛等が適している。圧力変動吸収体２３は、例えば両面テープなどによる接着やボルトなどによる締結などにより取り付けることができる。圧力変動吸収体２３は、整風体６からカウンターウェイト９の両側面方向に排出された空気が衝突する箇所に取り付けるのが望ましく、例えば、かご室１の天井面もしくは床面より５００ｍｍ離れた位置に、かご室昇降方向の長さが５０ｍｍ以上となる範囲を覆うように取り付けることが望ましい。圧力変動吸収体２３の厚みは、例えば１０ｍｍ程度である。
【００１９】
このような構成によれば、上記整風体６からカウンターウェイト９の両側面方向に排出された空気がかご室１の側面に衝突する際に生じる圧力変動を緩やかにでき、空気がかご室側面に衝突することで生じる騒音を抑制することができる。
【００２０】
また、圧力変動吸収体２３の表面と、その周囲のかご室壁面とを同一面とすることが好ましい。例えば、図９（ｂ）に示すように、かご室の壁面部材の一部をコの字状に突出させた突出部を形成してその内側に圧力変動吸収体２３を設置し、上記突出部の高さと圧力変動吸収体の厚さとを揃えることにより、圧力変動吸収体２３の表面とその周囲のかご室壁面とを同一面とすることができる。なお、ここでいう同一とは完全同一である必要はなく、実質的に同一とみなせる範囲を含む。
【００２１】
圧力変動吸収体２３の表面とその周囲のかご室壁面とを同一面とすることにより、圧力変動吸収体２３の表面とかご室壁面との間に段差がある場合と比較して、かご室側面における空気抵抗の増加を抑制し、騒音をより低減することができる。
【００２２】
実施の形態４．
図１０は、実施の形態４のエレベーターにおける整風体の断面図である。図１１は、実施の形態４に係る整風体を備えたかご室を示す斜視図である。
実施の形態４は、実施の形態１において、図１０に示す上記整風体６の側面図のように、溝部分６ａと板金部分６ｂに分割し、図１０、１１に示すように板金部分６ｂのカウンターウェイト９側角部をかご室１方向に傾斜するように折り曲げた構成にしたものである。上記整風体６の曲げ面と上記整風体６表面の角度β（図１１参照）は、曲げ部に沿って流れた空気が下流側のかご室１上面と衝突し新たな騒音が生じないよう、４５°以下であることが望ましい。
【００２３】
このような構成によれば、上記整風体６によって、カウンターウェイト９の両側面方向に排出された空気は前記曲げ部に沿って流れるため、かご室１昇降路方向に沿って流れる空気と合流時に生じる渦の発生を抑制でき、渦による騒音増加を防ぐことができる。
溝部分６ａは、実施の形態２に示す多孔質材１２でも、板金部材を加工したものでもよい。
【００２４】
実施の形態５．
図１２は、実施の形態５のエレベーターにおける整風体を備えたかご室を示す斜視図である。
実施の形態５は、図１２に示すように、整風体６のかご室１ドア７側一端部にかご室１昇降方向上流側へ突出する抵抗板１５を取り付ける構成にしたものである。
抵抗板１５は、整風体６の表面より３０ｍｍ以上突出していることが望ましい。
このような構成によれば、上記整風体６に衝突した空気の内、整風体６表面の溝に沿ってかご室１ドア側へ流れ込む空気を抵抗板１５が受け止めることができる。抵抗板１５のせき止め効果によって、整風体６表面に衝突した空気をかご室１カウンターウェイト９両側面方向に流す効果を高めることができ、かご室１周囲物体とのすれ違い音及びかご室１ドア７側の騒音を抑制することができる。
【００２５】
実施の形態６．
図１３は、実施の形態６のエレベーターにおける整風体を備えたかご室を示す斜視図である。
実施の形態６は、図１３に示すように、抵抗板１５ｓを上記整風体６のかご室１側面側両端部にかご室１昇降方向の上流側に向かって突出して取り付ける構成にしたものである。
かご室１側面側端部に取り付ける抵抗板１５ｓは、かご室１ドア７側端部に取り付ける抵抗板１５と同じ高さであることが望ましい。
このような構成によれば、上記整風体６に衝突しかご室１側面方向に流れ出ていた空気を抵抗板１５ｓがせき止めることができる。抵抗板１５ｓのせき止め効果によって、整風体６表面に衝突した空気をカウンターウェイト９両側面方向に流す効果を高めることができ、隣り合うかご室とのすれ違い音を抑制することができる。
【００２６】
実施の形態７．  
図１４は、実施の形態７のエレベーターにおける整風体６の斜視図である。
実施の形態７は、図１４に示すように、整風体６のロープ５が通る開口部８にかご室１昇降方向上流側に突出する抵抗板２２を備えたものである。抵抗板２２は抵抗板１５と同程度の高さであることが望ましい。
このような構成によれば、整風体６に衝突し溝に沿って流れ開口部からかご室１方向に流入する空気を抵抗板２２がせき止めることができる。抵抗板２２のせき止め効果によって、整風体６表面に衝突した空気をカウンターウェイト９両側面方向に流す効果を高めることができ、隣り合うかご室とのすれ違い音をより一層抑制することができる。
【００２７】
実施の形態８．
図１５，１７は、実施の形態８のエレベーターの一部を示す斜視図である。図１６は、図１５に示すＸ−Ｘ’断面で整風体６を切断した断面図である。図１８は、図１７に示すＹ−Ｙ’断面で整風体６を切断した断面図である。
実施の形態８は、実施の形態４において、整風体６の曲げ部分のかご室１昇降方向上流側表面に柔毛１６を取り付けたものである。更に、図１８に示すように、柔毛１６の長さは、整風体６の前記曲げ部分を流れる空気の流れとは垂直な方向に増減しており、柔毛１６の先端を包絡する面が、カウンターウェイト昇降空間の側方空間へ向かって延びる溝の形状をなしている。
柔毛１６は、ある程度の剛性を持っていればよく、例えば、金属繊維やフェルト生地、羽毛などが適用できる。整風体６表面に柔毛１６を取り付ける方法としては、接着剤などによる接着の他、ピンで固定する方法やボルトで締め上げる方法などがある。
【００２８】
このような構成によれば、図１６に示すように、整風体６に衝突し曲げ部に流入した空気が、柔毛１６の変形によって生成される微小な渦１７の効果によって、曲げ部表面に引き付けられる。更に、図１８に示すように柔毛１６の先端を包絡する面が溝の形状をなし、当該溝に沿って空気が流れることによって、曲げ部表面を流れる空気の流れとは垂直な方向に速度分布が生まれ、縦渦１１が生成される。柔毛１６の変形から生じる微小な渦１７と縦渦１１の効果によって、整風体６表面を流れる空気の整風体６からの剥離を抑制できる。
比較例として、図１９に、柔毛１６がない場合の整風体６近傍の流れを示す。柔毛１６がない場合、図１９に示すように、整風体から剥離した流れが昇降路に沿って流れる気流と合流する部分で大きな乱れが生じ風切り音の発生原因となる。これに対し、本実施形態では、図１６のように柔毛１６を整風体６表面に取り付けることで、整風体６端部の曲げ部に沿って空気が流れる効果を高め、昇降路方向に沿って流れる空気と整風体６曲げ部に沿って流れる空気とが合流する際に生じる渦の発生を抑制でき、渦による騒音増加を防ぐことができる。
以上の効果によって、かご室内騒音の低減が可能となる。
【００２９】
実施の形態９．
図２０は実施の形態９のエレベーターにおける整風体６の側面図である。
実施の形態９は、実施の形態１において、整風体６の表面におけるドア７側端部に気流発生装置１８を取り付けたものである。気流発生装置１８は、四面体の一面を曲面としたものを２つ隣り合わせに張り合わせた形状を有する。また、気流発生装置１８は、整風体６の折り曲げ部方向に気流発生装置１８の曲面部が向くように固定する。気流発生装置１８の固定方法は、接着剤による固定や、ボルトでの固定などがある。
このような構成によれば、整風体６の表面に形成された溝におけるカウンターウェイト昇降空間側とは反対側の端部に気流発生装置１８を備えることにより、気流発生装置１８に衝突した流れが図２０の矢印方向に流れ、整風体６の曲げ部に向かう気流が生まれる。この気流によって、整風体６に衝突した空気は整風体６曲げ部へ向かうように流れるようになるため、かご室１の周囲物体とのすれ違い音及びかご室１のドア７前部の風切り音を抑制する効果を高め、かご室内騒音を効果的に低減できる。
かご室１下面に整風体６を取り付ける場合、かご室１上側に設置した整風体６と上下反対に設置すれば良い。つまり、下側に設置する整風体６では、下方に突出する気流発生装置１８を設けるように構成すればよい。
【００３０】
実施の形態１０．
図２１、２２は、実施の形態１０のエレベーターの一部を示す側面図及び正面図である。
実施の形態１０は、実施の形態１において、整風体６をかご室１背面側、すなわち、カウンターウェイト９昇降空間側に傾斜させたものである。
図２１、２２では、整風体６を上梁２に固定した一例を示しているが、整風体６はかご室１の上面より上方（または整風体を下面に取り付ける場合は、整風体をかご室１の下面よりも下方）であれば、上梁２（または下梁３）から隔離して取り付けてもよい。
このような構成によれば、実施の形態１と同様、かご室周囲物体とのすれ違い音が抑制できる。また、整風体６はかご室１背面方向に向かって傾斜しているため、整風体６に衝突した空気のかご室背面方向に流れる力が大きくなるため、カウンターウェイト９両側面方向に空気を流す効果を高め、かご室１周囲物体とのすれ違い音及びドア７前の風切り音抑制効果を高めることができる。
さらに、整風体６と上梁２の間に角度調整部材１９を備えてもよい。角度調整部材１９の角度を変えることで、整風体６の傾斜角を任意に変更することが可能となり、かご室１の昇降速度の増加に伴い傾斜角を大きくすることで、カウンターウェイト９両側面方向に気流を流す効果を一定に保て、昇降速度によらずかご室内騒音の抑制が可能となる。
【００３１】
実施の形態１１．  
図２３、２４は、実施の形態１１のエレベーターの一部を示す側面図及び正面図である。
実施の形態１１は、実施の形態１において、整風体６をかご室の両側面方向、すなわち、カウンターウェイト９昇降空間の両側面方向に傾斜させたものである。整風体６は、かご室１両側面側に斜面部を有し、かご室１昇降方向上流側に向かって凸な形状を有する。整風体６の斜面部と上梁２間の角度γは３０°〜６０°程度であることが望ましい。また、整風体６の形状は図２４に示すような三角形状の他、台形形状でもよい。整風体６のかご室１天井部へ投影した面積は、かご室１の天井部の面積と同程度である。
上記整風体６は、実施の形態２または３に示すように、溝部分と板金部分に分割し、板金部分を凸形状に折り曲げた後、板金表面に溝部品を取り付けることで製作できる。
このような構成によれば、整風体６表面に衝突した気流が溝に沿って流れるため、実施の形態１と同様、かご室１周囲物体とのすれ違い音が抑制できる。更に、整風体６はかご室１側面方向に傾斜しているため、整風体６に沿って流れる空気とかご室１昇降路方向に沿って流れる空気が合流する際に生じる渦の発生を抑制でき、渦による騒音増加を防ぐことができる。
さらに、実施の形態１０と同様に角度調整部材１９を備え、昇降速度に応じて整風体６の傾斜角度を調整してもよい。
【００３２】
実施形態１０，１１では、整風体６をそれぞれかご室の背面側、側面側に傾斜させた例を示したが、傾斜の方向はこれに限定されず、例えば背面側と側面側との中間方向に傾斜させてもよい。このような構成によれば、背面側と側面側に同時に傾斜させた形となり、背面側に傾斜させた場合の効果と側面側に傾斜させた場合の効果を同時に得ることができる。また、カウンターウェイト９昇降空間の側方の空間に向かって整風体６を傾斜させることにより、当該方向へ向かって空気を流す効果をより高めることができる。
【００３３】
なお、以上の実施形態では、整風体をかご室から離隔して取り付ける例を示したが、離隔しない場合でも溝による作用効果を得ることはできる。
【００３４】
本発明は、以上のように説明し且つ記述した特定の詳細内容及び代表的な実施の形態に限定されるものではない。当業者によって容易に導き出すことができる更なる変形例及び効果も本発明に含まれる。したがって、添付の特許請求の範囲及びその均等物によって定義される総括的な発明の概念の精神または範囲から逸脱することなく、様々な変更が可能である。
【符号の説明】
【００３５】
１  かご室、２  上梁、３  下梁、４  横梁、５  ロープ、６  整風体、６ａ  溝部分、６ｂ  板金部分、７  ドア、８  開口部、９  カウンターウェイト、１０  エプロン、１１  縦渦、１２  多孔質材、１３  板金、１４  隣接するかご室、１５  抵抗板、１５ｓ  抵抗板、１６  柔毛、１７  渦、１８  気流発生装置、２０  昇降路壁、２１  支柱、２２  抵抗板、２３  圧力変動吸収体
【図１】
0006656416.tif 000002
【図２】
0006656416.tif 000003
【図３】
0006656416.tif 000004
【図４】
0006656416.tif 000005
【図５】
0006656416.tif 000006
【図６】
0006656416.tif 000007
【図７】
0006656416.tif 000008
【図８】
0006656416.tif 000009
【図９】
0006656416.tif 000010
【図１０】
0006656416.tif 000011
【図１１】
0006656416.tif 000012
【図１２】
0006656416.tif 000013
【図１３】
0006656416.tif 000014
【図１４】
0006656416.tif 000015
【図１５】
0006656416.tif 000016
【図１６】
0006656416.tif 000017
【図１７】
0006656416.tif 000018
【図１８】
0006656416.tif 000019
【図１９】
0006656416.tif 000020
【図２０】
0006656416.tif 000021
【図２１】
0006656416.tif 000022
【図２２】
0006656416.tif 000023
【図２３】
0006656416.tif 000024
【図２４】
0006656416.tif 000025